(57)【要約】【課題】解繊に直接係る刃の部分が機械的に耐久性に富み、かつ損傷した刃の交換が容易な解繊用の回転体を提供する。【解決手段】被解繊物の連続体を擦過解繊して綿状物を製造する装置に用いる突起体を表面に有する擦過解繊用の回転体であって、該回転体の擦過解繊部がすくい角をもつ鋸刃状の突起体を有するディスクの集合体から構成され、かつ該鋸刃状の突起体が回転体の表面に回転軸方向に螺旋状に配置されているか、該ディスクが回転体の回転軸に対して傾斜をもたせて配置されてなる綿状物製造用の回転体。【選択図】図１
2008031578.tif 000002
【特許請求の範囲】
【請求項１】
被解繊物の連続体を擦過解繊して綿状物を製造する装置に用いる突起体を表面に有する擦過解繊用の回転体であって、該回転体の擦過解繊部がすくい角をもつ鋸刃状の突起体を有するディスクの集合体から構成され、かつ該鋸刃状の突起体が回転体の表面に回転軸方向に螺旋状に配置されているか、または該ディスクが回転体の回転軸に対して傾斜をもたせて配置されてなる綿状物製造用の回転体。
【請求項２】
前記回転体の鋸刃状の突起体の回転軸方向の間隔が、０．０２〜０．００２ｍｍである請求項１記載の回転体。
【請求項３】
前記鋸刃状の突起体のすくい角が０°〜４５°の範囲である請求項１または２記載の回転体。
【請求項４】
前記鋸刃状の突起体の先端部の厚さが０．１ｍｍ以下である請求項１〜３のいずれかに記載の回転体。
【請求項５】
前記鋸刃状の突起体以外の回転体表面が、低吸湿性で被解繊物と同一の帯電性を有する絶縁材料で被覆されている請求項１〜４のいずれかに記載の回転体。
【請求項６】
前記絶縁材料が、２５℃での吸水性が１質量％以下である請求項５記載の回転体。
【請求項７】
前記被解繊物がフッ素樹脂である請求項１〜６のいずれかに記載の回転体。
【請求項８】
前記鋸刃状の突起体以外の回転体表面を被覆している絶縁材料がフッ素樹脂である請求項７記載の回転体。
【請求項９】
請求項１〜８のいずれかに記載の回転体を用い、該回転体を回転させ、該回転している鋸刃状の突起体に被解繊物の連続体を接触させて該連続体を擦過解繊してランダムな繊維長と繊維径の短繊維からなる綿状物を製造する方法。
【発明の詳細な説明】
【技術分野】
【０００１】
本発明は、被解繊物の連続体を擦過解繊してランダムな繊維長と繊維径の短繊維からなる綿状物の製造に用いる擦過解繊用の回転体、およびそれを用いた綿状物の製造方法に関する。
【背景技術】
【０００２】
合成樹脂のフィルム、その延伸物、スプリット繊維、スライバーなどをコーミングロールや植針ロール（針刃ロール）により解繊し、綿状物を製造することは、従来より行われている（特許文献１〜４）。
【０００３】
針刃ロールを用いた従来の綿状物の製造装置の代表的なもの（特許文献４）を図１４に示す。
【０００４】
図１４示す製造装置は、合成樹脂のフィルム、その延伸物、スプリット繊維、スライバーなどの被解繊物の連続体１００から多数（無数）の短繊維１０１を形成し、この短繊維１０１を移動しているベルトや紙基材の上に集積させるように構成されている。
【０００５】
この製造装置では、連続体１００から多数の短繊維１０１を形成するために針刃ロール１０２が配置されている。
【０００６】
この針刃ロール１０２は、ロール本体１０３とその周面に植設された多数の針刃１０４とから構成されており（図１５参照）、針刃１０４の先端とケーシング１０５の内周面との間に微細な間隙が形成されるように寸法構成されている。そして、この針刃ロール１０２は、供給された被解繊物の連続体１００を針刃ロールの回転により細分して短繊維１０１を形成し、排出、堆積させて綿状物とする。
【０００７】
針刃ロール１０２の針刃１０４は、図１５にその部分断面図として示すように、ロール本体１０３の外筒に植設されている。この針刃１０４は、ロール本体１０３の径線に対して、先端がロール本体１０３の回転方向前方に位置するように、前向きに傾斜している。具体的には、ロール本体１０３の径線に対する針刃１０４の傾斜角度θは５°≦θ≦３０°の範囲であり、好ましくはθ＝２０°に設定される。
【０００８】
また、針刃１０４は、ロール本体１０３の円周方向において中心角度をもって等分に配置されている。つまり、針刃１０４はロール本体１０３の円周上を９０等分した位置に配置されている。さらに、針刃１０４は、ロール本体１０３の周面上において所定の微細なねじれ角で螺旋状に連続して配置されている。
【０００９】
【特許文献１】国際公開第９６／００８０７号パンフレット
【特許文献２】国際公開第９６／１０６６８号パンフレット
【特許文献３】特開２００３−２７８０６７号公報
【特許文献４】特開２００３−２７８０７１号公報
【発明の開示】
【発明が解決しようとする課題】
【００１０】
しかし解繊に用いる針刃ロールは、針刃の植針加工が難しく、解繊によって生じた針刃の損傷や脱落に対応する場合、全体のバランスを保ったまま損傷した針刃のみを交換することが困難である。
【００１１】
本発明は、解繊に直接係る刃の部分が機械的に耐久性に富み、かつ損傷した刃の交換が容易な解繊用の回転体を提供することを目的とする。
【課題を解決するための手段】
【００１２】
すなわち本発明は、被解繊物の連続体を擦過解繊して綿状物を製造する装置に用いる突起体を表面に有する擦過解繊用の回転体であって、該回転体の擦過解繊部がすくい角をもつ鋸刃状の突起体を有するディスクの集合体から構成され、かつ該鋸刃状の突起体が回転体の表面に回転軸方向に螺旋状に配置されているか、または該ディスクが回転体の回転軸に対して傾斜をもたせて配置されてなる綿状物製造用の回転体に関する。
【００１３】
また本発明は、この回転体を用い、該回転体を回転させ、該回転している鋸刃状の突起体に被解繊物の連続体を接触させて該連続体を擦過解繊してランダムな繊維長と繊維径の短繊維からなる綿状物を製造する方法にも関する。
【発明の効果】
【００１４】
本発明の解繊用回転体によれば、解繊用の突起体として鋸刃状の突起体を採用することにより、針刃よりも剛性に富み耐久性が向上する。
【００１５】
また、鋸刃状の突起体のリードピッチや鋸刃の先端形状の選択幅が広がり、被解繊物や目的とする綿状物の要求特性に応じた構成に容易に変更できる。
【００１６】
さらに回転体を鋸刃状の突起体を有する複数のディスクの集合体とすることにより、損傷した刃の交換を簡単に行うことができるとともに、位置決めが容易であり回転体の全体のバランスの調整も容易になる。
【発明を実施するための最良の形態】
【００１７】
本発明の解繊用の回転体の一実施形態を図面に基づいて説明する。なお、綿状物の製造装置において、解繊用の回転体以外の構成は、従来の製造装置と同じであり、それらについての説明は、図１４を参照する。
【００１８】
図１〜４に従って、本発明の解繊用回転体の第１の態様を説明する。
【００１９】
図１は本発明の第１の態様である解繊用回転体の概略平面図であり、図２は本発明の回転体を構成する鋸刃状の突起体を有するディスクの概略平面図であり、図３は回転体を構成する鋸刃状の突起体を有するディスクの概略側面図であり、図４はディスクの取り付け方を説明するための回転体の概略部分分解平面図である。
【００２０】
解繊用回転体１（図１）は、鋸刃状の突起体２を有する複数のディスク３（図２、図３）をロール本体５に差し込むことにより構成される（図４）。
【００２１】
各ディスク３は基部４とその周面に形成されている鋸刃状の突起体２とから構成されており、突起体２は、回転体に装着された擦過解繊部を形成したとき突起体２が連続した螺旋を描くように（図１参照）、傾斜をもたせてある。螺旋のリードピッチ、すなわち回転体の回転軸方向に隣接するディスクの間隔（鋸刃状の突起体の間隔）ｄ（図４）は、突起体分周（一枚の外径Ｄのディスク上の突起体の分割数）ｎと、目的とする繊維径を考慮して選定すればよい。
【００２２】
微細な繊維の製造は、分周を大きく（突起体の数を多く）、逆にリードピッチを小さく（ディスクの間隔を狭く）することにより得られる。特に平均繊維径０．０２ｍｍ以下の微細なポリテトラフルオロエチレン（ＰＴＦＥ）の短繊維を製造するには、ｄ／ｎ＝０．０２〜０．００２ｍｍの範囲で選択することが好ましい。
【００２３】
短繊維の平均繊維長については、解繊用回転体の回転速度、被解繊材料の供給速度の影響も受け得るが、ＰＴＦＥ短繊維で平均繊維長１０〜２０ｍｍ前後とするには、πＤ／ｎ＝２．５〜５の範囲から選択される。短い短繊維を得るには、πＤ／ｎの値をより小さくすればよい。
【００２４】
本発明の回転体によれば、各種の螺旋リードピッチと突起体形態を有するディスク３を用意し交換することにより、被解繊物や目的とする綿状物の要求特性に応じて容易に種々の螺旋リードピッチや突起体形状を有する解繊用回転体に変更することができる。
【００２５】
鋸刃状の突起体２は、回転方向に対してすくい角θを有している（図３）。すくい角をもたせることにより、被解繊物に突起体の先端部（刃先）が食い込みやすくなる。すくい角θは被解繊物の材質によって適宜選定すればよいが、０°〜４５°の範囲、さらには１０°〜３０°の範囲であることが繊維長を良好な範囲に収められる点で好ましい。すくい角が負になると突起体の先端部（刃先）の被解繊物への食い込みがわるくなり、擦過ではなく磨耗により生ずる磨耗粉が増える。本発明の回転体によれば、各種のすくい角をもつディスク３を用意し交換することにより、容易にすくい角を変更することができる。
【００２６】
突起体２の先端部（刃先）の厚さは特に限定されないが、被解繊物に突起体の先端（刃先）が食い込みやすくなる点から０．１ｍｍ以下、さらには０．０８〜０．０２ｍｍであることが好ましい。先端部（刃先）の厚さが厚くなると、被解繊物への食い込みがわるくなり、擦過ではなく磨耗により生ずる磨耗粉が増える。強度面からは、先端部が薄く基部が厚いことが好ましい。また、先端部（刃先）の形状は、片刃でも両刃でもよい。
【００２７】
突起体２の各刃の高さは、解繊物の付着による目詰まり回避の面から、被解繊物断面の高さに対して十分大きく取ることが望ましく、２〜１０ｍｍの範囲で選定することが好ましい。
【００２８】
ディスク３の幅は、被解繊繊維物の材質、解繊繊維長、解繊繊維径などによって適宜選定すればよいが、鋸刃状の突起体２が少なくとも１周するような幅とするのが、装着時のディスク３の位置決めが容易な点から好ましい。
【００２９】
ディスク３の材質は耐摩耗性が良好な点から工具鋼が好ましい。また、鋸刃状の突起体２はディスク３と一体に作製してもよいし、ディスク３に工具鋼の針を接合して製作してもよい。
【００３０】
本発明の解繊用の回転体１の組立ては、図４に示すように、ロール本体５に設けられた溝６にディスク３の基部４の内周に設けられている突起７（図３）を合わせて挿入することにより簡単に行うことができる。したがって、突起体２の一部が破損しても、破損したディスクのみを取り外し、新しいディスクを突起体が連続した螺旋構造を形成するように溝６に合わせて挿入することで、簡単に行うことができる。
【００３１】
つぎに図５〜８に従って、本発明の第２の態様を説明する。
【００３２】
図５は本発明の第２の態様におけるディスク１０の概略平面図、図６は第２の態様のディスク１０の概略側面図であり、図７は第２の態様のディスク１０をロール本体１１に挿入し、回転体を組み立てる方法を説明するための概略部分平面図、図８はディスク１０をロール本体１１に装着するときに使用するスペーサ１５の概略斜視図である。
【００３３】
第２の態様におけるディスク１０は、周囲に鋸刃状の突起体１２を有する螺旋状（コイル状）に巻かれたディスクをほぼ１周分で切断したものであり（図５）、その内周には、ロール本体１１に形成された溝１３に対応した突起１４を有している（図６）。
【００３４】
第１の態様のディスク３では基部４の周面に突起体２を設けていたが、第２の態様ではディスク１０自体を円盤状の鋸刃に似た形態としている。
【００３５】
また、高速回転によるディスク１０の変形を抑えるために、ディスク１０の突起１４に張出し部１６を設け、ロール本体１１の溝１３に形成された凹部１７としっかりと係合させる。かかる係合手段は第１の態様においても採用できる。
【００３６】
この第２の態様におけるディスク１０においても、突起体１２のすくい角、螺旋のリードピッチや傾斜角、先端部（刃先）の厚さや形状は第１の態様におけるディスク３と同様である。
【００３７】
第２の態様のディスク１０を用いた回転体の組立てを図７に従って説明する。ディスク１０の突起１４および張出し部１６をロール本体１１の溝１３および凹部１７に合わせてロール本体１１に突起体１２が螺旋を描くように挿入する。このようにロール本体１１とディスク１０とから構成してもよいが、ディスク１０の間隔（リードピッチ）を広くするためにスペーサ１５を挿入してもよい（図８）。スペーサ１５は図７に示すように、ディスク１０間の空隙を埋めるための部材である。いずれもディスク１０の外径よりも小さい外径を有し、ディスク１０と同じ位相に円周切断を有している。なお、内周側もディスク１０と同じ形状とするのが組立て上好ましい。装着は、ディスク１０の円周切断位置が螺旋の起点となるように、ロール本体１１に挿入し、ついでスペーサ１５の円周切断位置がディスク１０の円周切断位置と重なるように挿入する。このように、ディスク１０とスペーサ１５を順次に挿入していくことにより回転体が組み立てられる。なお、スペーサ１５の厚さを調整することにより、螺旋のリードピッチを調整できる。
【００３８】
スペーサの材質は、金属でも合成樹脂でもよいが、少なくとも表面が低吸湿性で被解繊物と同一の帯電性を有する絶縁材料で被覆されていることが、解繊物の付着防止の点から好ましい。この点については後述する。
【００３９】
つぎに図９〜１２に従って、本発明の第３の態様を説明する。この第３の態様は、ディスクが回転体の回転軸に対して傾斜をもたせて配置されてなる実施態様である。
【００４０】
図９は本発明の第３の態様におけるディスク２０とスペーサ２５をロール本体２１に挿入し、回転体を組み立てる方法を説明するための概略部分平面図、図１０は第３の態様に用いるディスク２０の概略側面図、図１１は第３の態様に用いるスペーサ（間座）２５の概略側面図、図１２は第３の態様において螺旋を形成させるための調整用のネジ２８を説明するための回転体の概略側面図である。
【００４１】
第３の態様におけるディスク２０は、図１０に示すように周囲に鋸刃状の突起体２２を有する可撓性を有する１枚の円盤状物であり、このディスク２０は円周切断を有していない。ディスク２０の内周には、図９に示すロール本体２１に形成された溝２３に対応した突起２４を有している。
【００４２】
この第３の態様におけるディスク２０においても、突起体２２のすくい角、螺旋のリードピッチや傾斜角、先端部（刃先）の厚さや形状は第１の態様におけるディスク３と同様である。
【００４３】
第３の態様においては、図１１に示すスペーサ（間座）２５を使用する。このスペーサ２５は周囲が平坦な可撓性を有する１枚の円盤状物であり、このスペーサ２５には傾斜も円周切断も付けられておらず、その内周には、図９に示すロール本体２１に形成された溝２３に対応した突起２６を有している点はディスク３と同じである。この態様は、正負のリードピッチを有していて、螺旋を形成していない点が、第１、第２の態様と異なる。
【００４４】
第３の態様のディスク２０を用いた回転体の組立てを図９および図１２に従って説明する。
【００４５】
まず、ディスク２０をロール本体２１の溝２３に合わせてロール本体２１に挿入し、ついでスペーサ２５の突起をロール本体２１の溝２３に合わせてロール本体２１に挿入する。この組立て操作を繰り返して必要枚数をロール本体に装着する。
【００４６】
図９に示すように、ロール本体２１の端部には固定用の締付け具２７が設けられており、本体２１に装着されたディスク２０とスペーサ２５全体をロール本体２１にこれにより固定する。ついで、固定されたディスク２０とスペーサ２５全体をロール本体２１の端部に設けられた調整ネジ２８を締め込むことにより（図９における矢印Ｘ方向）、ディスク２０とスペーサ２５をずらし傾斜（突起体先端の回転軸方向の変位）を与える（図９における矢印Ｙ方向）。その結果、ディスク２０とスペーサ２５全体を回転軸に対して傾斜させることができる。その傾斜角は調整ネジ２８の締め込み具合により適宜選択でき、ディスク２０、スペーサ２５の内側を楕円形または長円形とすることで、大きい傾斜角を付与できる。また、円板状のディスク２０の形状を外周が波状であるディスク形状とし、これらを積層して回転体を構成してもよい。
【００４７】
スペーサの材質は、金属でも合成樹脂でもよいが、少なくとも表面が低吸湿性で被解繊物と同一の帯電性を有する絶縁材料で被覆されていることが、解繊物の付着防止の点から好ましい。この点については後述する。
【００４８】
本発明には、さらに要すれば、解繊用回転体１に再生容易な動バランス調整部を配設してもよい。ディスクとスペーサが共に切断されている回転体は、回転振動低減のために動バランス調整が必要な場合があり、その場合、端部に質量バランス用穴加工を施し、再組立の都度、部材更新してもよいが、低融点金属を回転体端部に配置し、動バランス調整加工穴の埋め戻しを容易とする場合、省資源化が図れる。
【００４９】
本発明で擦過解繊される被解繊物としては、天然素材でも、合成樹脂または無機素材の連続体でもよい。
【００５０】
天然素材としてはウール、木綿、カシミヤ、アンゴラ、絹、麻、パルプなどがあげられる。
【００５１】
合成樹脂としては、フッ素樹脂、ポリオレフィン、ポリエステル、ポリフェニレンサルファイド（ＰＰＳ）、ポリアミド（ＰＡ）、ポリイミド（ＰＩ）、アラミド（パラ系アラミド、メタ系アラミド）、フェノール系樹脂、ポリアリレート、ポリウレタンなどをあげることができる。
【００５２】
フッ素樹脂としては、たとえばポリテトラフルオロエチレン（ＰＴＦＥ）、テトラフルオロエチレン−パーフルオロ（アルキルビニルエーテル）共重合体（ＰＦＡ）、テトラフルオロエチレン−ヘキサフルオロプロピレン共重合体（ＦＥＰ）、ポリビニルフルオライド（ＰＶＦ）、ポリビニリデンフルオライド（ＰＶｄＦ）、ポリクロロトリフルオロエチレン（ＰＣＴＦＥ）、またはエチレン−クロロトリフルオロエチレン共重合体（ＥＣＴＦＥ）などをあげることができる。また、ポリオレフィンとしては、たとえばポリエチレン、ポリプロピレンなどが、ポリエステルとしてはたとえばポリエチレンテレフタレート、ポリブチレンテレフタレートなどがあげられる。
【００５３】
無機素材としては、たとえばガラス繊維、炭素繊維、金属（ステンレススチール、銅など）繊維などがあげられる。
【００５４】
これらの被解繊物は１種または２種以上を混用してもよい。
【００５５】
また、被解繊物の連続体としては、繊維状、フィルム状、その延伸物、スプリット繊維状、スライバーなどの形状で本発明の回転体に供することができる。
【００５６】
本発明の綿状物の製造方法はかかる解繊用の回転体１を、図１４に示す製造装置の針刃ロール１０２に代えて用いた製造装置により実施できる。
【００５７】
具体的には、図１３の概略説明図に示すように、ニップロール３３により供給される被解繊物の連続体３２を高速で回転している解繊用回転体３１とその周囲に配置されたケーシング（または解繊用補助部材）３４との隙間に供給する。連続体３２は回転体３１の周面に配置された鋸刃状の突起体３５の先端部で擦過され、ランダムな繊維長と繊維径の短繊維にされて外部に排出され、堆積して綿状物となる。
【００５８】
ここで鋸刃状の突起体３５は図１に示すように螺旋状に回転体を取り巻いているため、連続体は均一に回転体に接触し、場所によらずに均質なランダム短繊維が得られる。
【００５９】
回転体の回転数は、被解繊物の材質や繊維径や繊維長などによって適宜選定すればよいが、たとえばＰＴＦＥフィルムを解繊して平均長さ１０〜３０ｍｍで平均繊維径８〜２０μｍの範囲のランダムな短繊維を製造する場合は、約４０００〜８０００ｒｐｍの範囲の回転数が好ましく採用される。
【００６０】
ところで、被解繊物を解繊用回転体で解繊するにあたり、突起体と被解繊物との加工力により、拘束されていない被解繊物が突起体から離れてしまい、解繊されないことがある。この現象を抑制するために、解繊用補助部材を突起体（回転体）の外側に設けることが好ましい。突起体（回転体）と解繊用補助部材の位置関係、特に隙間は、回転体の先端直径、突起体の材料剛性、目的とする短繊維の繊維径などにより決定される。
【００６１】
より具体的には図１３に従って説明する。
【００６２】
解繊用補助部材３４は、回転体３１と同心の円弧を有するように配設される。この解繊用補助部材３４の円弧の半径をＲ（ｍｍ）とし、回転体３１の突起体３５の先端が描く円の半径をｒ（ｍｍ）とするとき、下式で算出されるＬ（ｍｍ）が、１０以下、望ましくは７以下であり、かつ、解繊用補助部材３４の円弧長Ａｒが上記Ｌの２倍以上、望ましくは４倍以上にする。
【００６３】
【数１】
2008031578.tif 000003
【００６４】
ここでのＬは、解繊繊維の平均繊維長に影響するもので、数値が大きいほど、太くて長い繊維の混在を許容する。また、Ａｒを長く取れば、繊維の叩きつけが、より確実に行われるので、太い繊維の混在が少なくなる。これらの条件を満たすとき、突起体３５で擦過された解繊物が回転体３１の遠心力で解繊用補助部材３４に叩きつけられ、さらに解繊されて微細化される効果により、より微細な短繊維が得られる。
【００６５】
被解繊物の連続体３２はニップロール３３により定速度で解繊用回転体３１に供給されるが、ニップロール３３から放出された連続体３２が回転体３１の突起体３５に最初に接触するように解繊用補助部材３４を位置決めする。このように配置することにより、被解繊物の連続体３２が解繊用補助部材３４に触れて破損することはなく、設定された条件でより一層正確に擦過解繊することが容易になる。
【００６６】
本発明においては、さらにつぎのような実施形態をとることが好ましい。
【００６７】
合成樹脂などの被解繊物を擦過解繊すると、解繊された短繊維は帯電する。帯電した短繊維のうち比較的大きな繊維は落下するが、小さな短繊維（繊維くず）は回転体の突起体以外の場所に静電気の作用により付着し、回転体表面に堆積する。堆積した繊維くずは成長していき、ある時点で塊りとなって脱落し、製造中の綿状物上に落下する。その結果、得られる綿状物の目付が不均一となる。この現象は、被解繊物が絶縁性の合成樹脂、たとえばフッ素樹脂、ポリエチレン、ポリプロピレンなどの場合、特にＰＴＦＥである場合に顕著である。そこで、この点を解消するために、鋸刃状の突起体以外の回転体表面を低吸湿性で被解繊物と同一の帯電性を有する絶縁材料で被覆することが好ましい。回転体の表面が解繊物と同一に帯電することにより、回転体表面への静電気的な付着が抑えられる。
【００６８】
また、回転体の表面材質が吸湿性であれば、繊維くずの付着も多くなる。この観点から、絶縁材料は２５℃での吸水性が１質量％以下であることがさらに好ましい。
【００６９】
絶縁材料で被覆する部分は、少なくとも鋸刃状の突起体以外の回転体表面である。たとえば第１の態様においてはディスク３の基部４の外周面であり、第２の態様ではスペーサ１５の外周面であり、第３の態様ではスペーサ２５の外周面である。スペーサを使用しない場合はロール本体の外表面を被覆すればよい。
【００７０】
被覆用の絶縁材料は、低吸湿性で被解繊物と同一の帯電性を有する絶縁材料である。被解繊物と被覆材料の具体的な組合せとしては、たとえばフッ素樹脂−フッ素樹脂（被解繊物−被覆材料。以下同様）、ポリプロピレン−ポリプロピレン、ポリプロピレン−ＰＴＦＥなどがあげられる。特に、被解繊物としてＰＴＦＥを使用する場合、被覆材料もＰＴＦＥであることが好ましい。
【図面の簡単な説明】
【００７１】
【図１】本発明の第１の態様の解繊用回転体の概略平面図である。
【図２】本発明の第１の態様に用いる回転体を構成する鋸刃状の突起体を有するディスクの概略平面図である。
【図３】本発明の第１の態様に用いる回転体を構成する鋸刃状の突起体を有するディスクの概略側面図である。
【図４】本発明の第１の態様におけるディスクの取り付け方を説明するための回転体の概略部分分解平面図である。
【図５】本発明の第２の態様に用いるディスクの概略平面図である。
【図６】本発明の第２の態様に用いるディスクの概略側面図である。
【図７】本発明の第２の態様において、ディスクをロール本体に挿入し回転体を組み立てる方法を説明するための概略部分平面図である。
【図８】本発明の第２の態様において、ディスクをロール本体に装着するときに使用するスペーサの概略斜視図である。
【図９】本発明の第３の態様におけるディスクとスペーサをロール本体に挿入し回転体を組み立てる方法を説明するための概略部分平面図である。
【図１０】本発明の第３の態様に用いるディスクの概略側面図である。
【図１１】本発明の第３の態様に用いるスペーサ（間座）の概略側面図である。
【図１２】本発明の第３の態様において螺旋を形成させるための調整用のネジを説明するための回転体の概略側面図である。
【図１３】本発明の回転体を用いた解繊方法を説明するための概略説明図である。
【図１４】従来の綿状物の製造装置の概略斜視図である。
【図１５】従来の針刃ロールの部分拡大断面図である。
【符号の説明】
【００７２】
１、３１  解繊用回転体
２  鋸刃状の突起体
３、１０、２０  ディスク
４  基部
５、１１、２１、１０３  ロール本体
６、１３、２３  溝
７、１４、２４、２６  突起
１２、２２、３５  突起体
１５、２５  スペーサ
１６  張出し部
１７  凹部
２７  締付け具
２８  調整ネジ
３２、１００  連続体
３３  ニップロール
３４  解繊用補助部材
１０１  短繊維
１０２  針刃ロール
１０４  針刃
１０５  ケーシング
【図１】
2008031578.tif 000004
【図２】
2008031578.tif 000005
【図３】
2008031578.tif 000006
【図４】
2008031578.tif 000007
【図５】
2008031578.tif 000008
【図６】
2008031578.tif 000009
【図７】
2008031578.tif 000010
【図８】
2008031578.tif 000011
【図９】
2008031578.tif 000012
【図１０】
2008031578.tif 000013
【図１１】
2008031578.tif 000014
【図１２】
2008031578.tif 000015
【図１３】
2008031578.tif 000016
【図１４】
2008031578.tif 000017
【図１５】
2008031578.tif 000018